(57)【要約】      （修正有）【課題】駆動エネルギを必要とすることなく、可及的広い範囲でサンプリングガスの湿度を所定値に調整することができるサンプリングガス調湿器を提供する。【解決手段】ガス流入口１１、及びガス流出口１２を供えた容器１３に、塩化カルシウム、または塩化リチウムからなる吸湿化合物を多孔質粒子に担持させた粒子１４を収容して構成されている。【効果】サンプリング流路に接続するだけで、多孔質粒子の吸湿化合物により被検ガスの湿度を簡単に、検出に適した湿度に調整することができる。【選択図】        図２
2004233317.tif 000002
【特許請求の範囲】
【請求項１】
ガス流入口、及びガス流出口を供えた容器に、吸湿化合物を多孔質粒子に担持させた粒子を収容して構成されたサンプリングガス調湿器。
【請求項２】
前記吸湿性化合物が、塩化カルシウム、または塩化リチウムである請求項１に記載のサンプリングガス調湿器。
【請求項３】
前記多孔質粒子が、シリカゲル、活性炭、ゼオライトの少なくとも１つである請求項１に記載のサンプリングガス調湿器。
【請求項４】
前記粒子の湿度が所定の値に予め調整され、前記ガス流入口及びガス流出口が開放可能に封止されている請求項１に記載のサンプリングガス調湿器。
【請求項５】
前記ガス流入口、またはガス流出口の少なくとも一方が、ガス検出手段のサンプリング流路のコネクタに着脱可能な接続構造として構成されている請求項１に記載のサンプリングガス調湿器。
【発明の詳細な説明】
【０００１】
【産業上の利用分野】
本発明は、ガス検出器に流入する被検ガスの湿度を調整するためのサンプリングガス調湿器に関する。
【０００２】
【従来の技術】
化学反応を利用したガス検出手段、例えば発色剤をろ紙などに担持させ、被検ガスと発色剤との化学反応による光学濃度に基づいて被検ガスの濃度を測定するものにあっては、反応速度が湿度に大きく左右される。
【０００３】
このため、通常、ガスサンプリング流路の途中に、除湿手段や加湿手段を接続してガス検出手段に流入する被検ガスの湿度を所定範囲に調整することが行われているが、駆動するために電力を必要としたり、また構造が複雑化するという問題がある。
【０００４】
【発明が解決しようとする課題】
このような問題を解消するため、通気性チューブを流路の途中に接続することも考えられるが、調湿範囲が狭いという問題がある。
本発明は、このような問題に鑑みてなされたものであって、その目的とするところは、駆動エネルギを必要とすることなく、可及的広い範囲で湿度が変化するサンプリングガスの湿度を所定の範囲、つまり検出に適した範囲に調整することができるサンプリングガス調湿器を提供することである。
【０００５】
【課題を解決するための手段】
このような問題を解消するために本発明においては、ガス流入口、及びガス流出口を供えた容器に、吸湿化合物を多孔質粒子に担持させた粒子を収容するようにした。
【０００６】
【作用】
被検ガスに含まれている過剰な水分は、多孔質粒子に担持された吸湿化合物により吸収され、また水分が不足している被検ガスに対しては多孔質粒子の吸湿化合物に吸収されている水分を放出させて湿度を所定の範囲に調整する。
【０００７】
【実施例】
そこで以下に本発明の詳細を図示した実施例に基づいて説明する。
図１は、本発明のサンプリングガス調湿器を用いたガス検出装置の一実施例を示すものであって、検知紙式ガス検出装置１は、発光素子２と受光素子３とを備えた測定ヘッド４と、テープ状に加工された検知紙５を測定ヘッド４に一定時間毎に搬送するテープ搬送機構６と、サンプリングポンプ７からの負圧を受けて、測定ヘッド４と共同して検知紙５に被検ガスを接触させる吸引ヘッド７とから構成されている。
【０００８】
測定ヘッド４のガス流入側には、本発明が特徴とするサンプリングガス調湿器１０がコネクタ８を介して着脱可能に接続されている。
【０００９】
サンプリングガス調湿器１０は、図２に示したように一端にガス流入口１１が、他端にガス流出口１２が形成された容器１３に、多孔質粒子、例えばシリカゲル、活性炭、ゼオライトなどの粒子の細孔に吸湿剤、例えば塩化カルシウム、塩化リチウムの少なくとも１つを含侵させて構成された粒子１４を収容して構成されている。なお、図中符号１５は、通気性を備えた粒子の抜け止め部材を示す。
【００１０】
粒子１４は、塩化カルシウムの水溶液または塩化リチウムの水溶液に上記多孔質粒子の１種または複数種を所定時間浸漬した後、多孔質粒子を取り出して乾燥させ、多孔質粒子１４の細孔に塩化カルシウム、塩化リチウムを浸透させることにより構成されている。
【００１１】
この実施例において、サンプリングポンプ７を作動させると、被検ガスがサンプリングガス調湿器１０に流入する。被検ガスの湿度が高い場合には過剰な水分が粒子１４に担持されている塩化カルシウム、または塩化リチウムにより吸収され、また被検ガスの水分が少ない場合には粒子１４の塩化カルシウム、塩化リチウムに吸収されている水分が放出され、所定の湿度となって、検知紙式ガス検出装置１に流入する。
【００１２】
検知紙５は、被検ガスの湿度が予め所定の範囲に調整されているため、検知紙５の試薬は検ガスによる乾燥を受けることがないため、試薬が被検ガスと適正に反応してガスの濃度に応じた光学的濃度の反応痕を検知紙５に生じ、被検ガスの湿度による反応速度の変動が防止でき、ガスの濃度を正確に測定することができる。
【００１３】
図３は、上述のサンプリングガス調湿器に相対湿度６０％（符号Ａ）、相対湿度１０％（符号Ｂ）、及び相対湿度９０％（符号Ｃ）のエアを供給し、ガス流出口１２からのエアの相対湿度の時間変化を測定したもので、この結果から、略３０秒ぐらいで検知紙５との反応に適した相対湿度に調湿でき、この状態を検知紙５と被検ガスとの反応に必要な時間維持できることが確認できた。
【００１４】
ところで、被検ガスの湿度が通常環境の相対湿度（５０ないし７０％）よりも極端に高い場合や、また低い場合には、長時間のサンプリングにより調湿能力が低下する。このような場合には、新しいサンプリングガス調湿器１０に付け替えることにより、調湿能力を回復することができる。
【００１５】
図４は、サンプリングガス調湿器１０の他の実施例を示すものであって、この実施例においては一端にガス流入口１１が、他端にガス流出口１２が形成された容器１３に、多孔質粒子に吸湿剤を含侵させた粒子１４を、環境に対応して予め所定の湿度に調湿し、ガス流入口１１とガス流出口１２とを容易に引き剥がし可能で、かつ非湿気透過性のフィルム、または栓などの封止手段１６により封止したものである。
【００１６】
この実施例によれば、乾燥したサンプリングガスに対しては、多めに湿気を吸収させたもの、また湿度が高いサンプリングガスに対しては若干乾燥状態に調湿したものを選択し、封止手段１６を外して所定時間毎、つまり調湿能力が低下した時点でコネクタ９に装着することにより、常に反応に適した湿度の被検ガスを検出手段に供給することができる。
【００１７】
なお、上述の実施例においては、サンプリングガス調湿器を順次付け替えるようにしているが、予め複数のサンプリングガス調湿器をそれぞれコネクタに装着しておき、流路切り換え弁により１つずつガス検出手段に接続するようにしてもよい。
【００１８】
【発明の効果】
以上説明したように本発明によれば、サンプリング流路に接続するだけで、多孔質粒子の吸湿化合物により被検ガスの湿度を簡単に、検出に適した湿度に調整することができる。
【図面の簡単な説明】
【図１】本発明のサンプリングガス調湿器を用いたガス検出装置の一実施例を示す図である。
【図２】本発明のサンプリングガス調湿器の一実施例を示す断面図である。
【図３】同上サンプリングガス調湿器の調湿性能を示す線図である。
【図４】本発明のサンプリングガス調湿器の他の実施例を示す断面図である。
【符号の説明】
１  検知紙式ガス検出装置
７  サンプリングポンプ
１０  サンプリングガス調湿器
１１  ガス流入口
１２  ガス流出口
１３  容器
１４  調湿用の粒子
【図１】
2004233317.tif 000003
【図２】
2004233317.tif 000004
【図３】
2004233317.tif 000005
【図４】
2004233317.tif 000006